(57)【要約】【課題】製造速度と製品率を有効的に高めることができる緩衝包装袋を提供する。【解決手段】  複数の気体室１０が連結されて構成され、各気体室１０間は熱シール部３１によって分割されており、緩衝包装袋１は一側に気体供給口２を備え、気体供給口２は気体供給路１４と接続され、気体供給路１４は各気体室１０と連通しており、緩衝包装袋１は、上部シート２１および下部シート２２の二層のシートから構成され、その間には逆止弁上部シート２５と逆止弁下部シート２６とから構成される逆止弁が挟設され、逆止弁は緩衝包装袋１全体に横に跨設される方式で設置され、逆止弁上部シート２５と逆止弁下部シート２６との間には耐熱部３３が設置され、耐熱部３３は気体供給路１４部分に位置し、緩衝包装袋１全体に横に跨設される方式で設置されている。【選択図】  図１ 
0003112371.tif 000002
【実用新案登録請求の範囲】
【請求項１】
複数の気体室が連結されて構成された緩衝包装袋であって、
前記各気体室間は熱シール部によって分割されており、前記緩衝包装袋は一側に気体供給口を備え、前記気体供給口は気体供給路と接続され、前記気体供給路は各気体室と連通しており、
前記緩衝包装袋は、上部シートおよび下部シートの二層のシートから構成され、その間には逆止弁上部シートと逆止弁下部シートとから構成される逆止弁が挟設され、前記逆止弁は緩衝包装袋全体に横に跨設される方式で設置され、前記逆止弁上部シートと逆止弁下部シートとの間には耐熱部が設置され、前記耐熱部は気体供給路部分に位置し、緩衝包装袋全体に横に跨設される方式で設置され、逆止弁上部シートと逆止弁下部シートとが熱シール部の製造過程において一緒に加熱接着されるのを防いでいることを特徴とする緩衝包装袋。
【請求項２】
前記逆止弁上部シートと逆止弁下部シートとから構成される逆止弁が設置される場所には網状接合点が設置されており、各気体室への気体進入と密封を行っていることを特徴とする請求項１記載の緩衝包装袋。
【請求項３】
前記網状接合点の形状は、円形またはその他の形状であることを特徴とする請求項２記載の緩衝包装袋。
【請求項４】
前記網状接合点は、上部シート、逆止弁上部シートおよび逆止弁下部シートの三層を加熱接着したものであることを特徴とする請求項２記載の緩衝包装袋。
【請求項５】
前記熱シール部は、非等間隔に設置されていることを特徴とする請求項１記載の緩衝包装袋。
【請求項６】
前記気体室は、柱状、ひし形、円形、方形、多辺形またはその他の類似形状であることを特徴とする請求項１記載の緩衝包装袋。
【請求項７】
各気体室には、折目が設けられ、気体室を折り曲げていることを特徴とする請求項１記載の緩衝包装袋。
【請求項８】
上部シートと下部シートとの間に挟設され、逆止弁上部シート、逆止弁下部シートおよび中間に挟設される耐熱部から構成されており、前記耐熱部は所定の長さを有し、前記長さは緩衝包装袋の複数の気体室に合わせて決定され、
気体充填完了時、緩衝包装袋の各気体室内部の気体が逆止弁上部シートおよび逆止弁下部シートを上部シートの一側に押圧し、逆止弁上部シートおよび逆止弁下部シートを上部シートに緊密に貼合して気体を密封することを特徴とする緩衝包装袋の逆止弁。
【請求項９】
前記逆止弁上部シートと逆止弁下部シートとから構成される逆止弁が設置される場所には、網状接合点が設置されており、各気体室の気体進入と密封を行っていることを特徴とする請求項８記載の緩衝包装袋の逆止弁。
【請求項１０】
前記網状接合点の形状は、円形またはその他の形状であることを特徴とする請求項９記載の緩衝包装袋の逆止弁。
【考案の詳細な説明】
【技術分野】
【０００１】
本考案は緩衝包装袋に関し、特に複数の気体室から構成され、各気体室は熱シール部によって分割されており、それらの気体室は逆止弁を備え、気体充填後に気体室から気体が漏れるのを防ぐことができる緩衝包装袋に関し、さらに逆止弁上部シートと、逆止弁下部シートと、その中間に挟設される耐熱部とから構成される逆止弁に関する。
【背景技術】
【０００２】
伝統的な被包装物を緩衝包装する方式としては、プラスチックシート上に複数の小型の気体室を突設し、そのプラスチックシートで被包装物を包み込んで小型の気体室によって緩衝を行い、被包装物の破損を防ぐものがある。しかし、小型の気体室による緩衝には限界があり、小さな衝撃に対してはかろうじて有効であるが、大きな振動や衝撃を緩衝することは不可能であり、しばしば被包装物の破損をもたらす。
【０００３】
特許文献１の緩衝包装袋においては、内側壁および反対方向に折り曲げられた外側壁を備え、内側壁と外側壁との間に気体密封室が形成されており、気体密封室に気体を充填したとき、内側壁によって緊密に被包装物を包み込んで緩衝包装袋を貼合でき、気体密封室の気体が被包装物の緩衝を行うものである。このほか、特許文献２の緩衝包装材料においては、気体の注入、排気を行う逆止弁と、プラスチックシートからなる方形の気体密封袋とから構成され、包装材料本体は半分に折り曲げられ、重なる二つの気体充填収容部を形成しており、二つの気体充填収容部の内面のそれぞれの部位には少なくとも一箇所の線状の接合部が設けられ、接合部によって気体充填時、気体充填収容部の膨張状態を制限するというものである。
【０００４】
前述の二つの実用新案は、気体密封室または気体充填収容部に充填された気体によって被包装物の保護を行うものである。しかし、これらの気体密封室または気体充填収容部は運送過程において破裂した場合、気体が漏れ出し、即座に緩衝保護機能を失ってしまう。このほか、前述の二つの実用新案のバルブの構造は複雑であり、製造時、時間と手間が掛かってしまい、コストが大幅に増加するという欠点を持つ。
【特許文献１】台湾実用新案第３６３６００号公報
【特許文献２】台湾実用新案第１２８３２６号公報
【考案の開示】
【考案が解決しようとする課題】
【０００５】
本考案の主な目的は、複数の気体室が連結されて構成されており、各気体室間は熱シール部によって分割されており、緩衝包装袋は一側に気体供給口を備え、気体供給口は気体供給路と接続され、気体供給路は各気体室と連通しており、緩衝包装袋は上部シートおよび下部シートの二層のシートから構成され、その間には逆止弁上部シートと逆止弁下部シートとから構成される逆止弁が挟設され、逆止弁は緩衝包装袋全体に横に跨設される方式で設置され、逆止弁上部シートと逆止弁下部シートとの間には耐熱部が設置され、耐熱部は気体供給路部分に位置し、緩衝包装袋全体に横に跨設される方式で設置され、逆止弁上部シートと逆止弁下部シートとが熱シール部の製造過程において一緒に加熱接着されるのを防いでいる緩衝包装袋を提供することにある。
本考案の次の目的は、上部シートと下部シートとの間に挟設され、逆止弁上部シート、逆止弁下部シートおよび中間に挟設される耐熱部から構成されており、耐熱部は所定の長さを有し、その長さは緩衝包装袋の複数の気体室に合わせて決定され、気体充填完了時、緩衝包装袋の各気体室内部の気体が逆止弁上部シートおよび逆止弁下部シートを上部シートの一側に押圧し、逆止弁上部シートおよび逆止弁下部シートを上部シートに緊密に貼合して気体を密封する逆止弁を提供することにある。
【課題を解決するための手段】
【０００６】
上述の課題を解決するために、請求項１の考案は、複数の気体室が連結されて構成された緩衝包装袋であって、各気体室間は熱シール部によって分割されており、緩衝包装袋は一側に気体供給口を備え、気体供給口は気体供給路と接続され、気体供給路は各気体室と連通しており、緩衝包装袋は、上部シートおよび下部シートの二層のシートから構成され、その間には逆止弁上部シートと逆止弁下部シートとから構成される逆止弁が挟設され、逆止弁は緩衝包装袋全体に横に跨設される方式で設置され、逆止弁上部シートと逆止弁下部シートとの間には耐熱部が設置され、耐熱部は気体供給路部分に位置し、緩衝包装袋全体に横に跨設される方式で設置され、逆止弁上部シートと逆止弁下部シートとが熱シール部の製造過程において一緒に加熱接着されるのを防いでいることを特徴とする緩衝包装袋である。
【０００７】
請求項２の考案は、逆止弁上部シートと逆止弁下部シートとから構成される逆止弁が設置される場所には網状接合点が設置されており、各気体室への気体進入と密封を行っていることを特徴とする請求項１記載の緩衝包装袋である。
【０００８】
請求項３の考案は、網状接合点の形状は、円形またはその他の形状であることを特徴とする請求項２記載の緩衝包装袋である。
【０００９】
請求項４の考案は、網状接合点は、上部シート、逆止弁上部シートおよび逆止弁下部シートの三層を加熱接着したものであることを特徴とする請求項２記載の緩衝包装袋である。
【００１０】
請求項５の考案は、熱シール部は、非等間隔に設置されていることを特徴とする請求項１記載の緩衝包装袋である。
【００１１】
請求項６の考案は、気体室は、柱状、ひし形、円形、方形、多辺形またはその他の類似形状であることを特徴とする請求項１記載の緩衝包装袋である。
【００１２】
請求項７の考案は、各気体室には、折目が設けられ、気体室を折り曲げていることを特徴とする請求項１記載の緩衝包装袋である。
【００１３】
請求項８の考案は、上部シートと下部シートとの間に挟設され、逆止弁上部シート、逆止弁下部シートおよび中間に挟設される耐熱部から構成されており、耐熱部は所定の長さを有し、長さは緩衝包装袋の複数の気体室に合わせて決定され、気体充填完了時、緩衝包装袋の各気体室内部の気体が逆止弁上部シートおよび逆止弁下部シートを上部シートの一側に押圧し、逆止弁上部シートおよび逆止弁下部シートを上部シートに緊密に貼合して気体を密封することを特徴とする緩衝包装袋の逆止弁である。
【００１４】
請求項９の考案は、逆止弁上部シートと逆止弁下部シートとから構成される逆止弁が設置される場所には、網状接合点が設置されており、各気体室の気体進入と密封を行っていることを特徴とする請求項８記載の緩衝包装袋の逆止弁である。
【００１５】
請求項１０の考案は、網状接合点の形状は、円形またはその他の形状であることを特徴とする請求項９記載の緩衝包装袋の逆止弁である。
【考案の効果】
【００１６】
本実施形態の実施によって、緩衝包装袋の幾つかの気体室が破裂しても、破裂していない気体室は逆止弁の密封作用によって密封状態が保たれ、緩衝包装袋は被包装物に対して緩衝保護を行うことができる。緩衝包装袋は複数の独立する気体室によって気体充填後、被包装物に対して緩衝保護を行うことができる。逆止弁としての機能を備える網状接合点の設置によって、それぞれの気体室全てに気体の入出路を形成する必要がなくなり、大幅に製造速度を高めることができただけでなく、製品率を有効的に高めることができた。
【考案を実施するための最良の形態】
【００１７】
図１に示すように、本実施形態による緩衝包装袋１は複数の気体室１０が連結されて構成されており、各気体室１０間は熱シール部３１によって分割され、熱シール部３１は、非等間隔に設置されており、それによって各気体室１０の大きさは異なる。
【００１８】
緩衝包装袋１は一側に気体供給口２を備え、気体供給口２は気体供給路１４と接続されており、それによって形成される気体の通路と各気体室１０とは連通している。それによって気体（空気または不活性気体）が袋体の気体供給口２から進入した後、気体供給路１４から各気体室１０に気体が充填される。気体室１０は柱状、ひし形、円形、方形、多辺形またはその他の類似形状とすることができる。
【００１９】
図２、３、４に示すように、緩衝包装袋１は、上部シート２１および下部シート２２の二層のプラスチックシート材料から構成され、例えばＰＥシートからなる。上部シート２１と下部シート２２との間には逆止弁上部シート２５と逆止弁下部シート２６とから構成される逆止弁が挟設され、適当な長さで上部シート２１と下部シート２２との間に挟設され、逆止弁は緩衝包装袋１全体に横に跨設される方式で設置され、逆止弁上部シート２５と逆止弁下部シート２６との間には耐熱部３３が設置され、耐熱部３３はちょうど気体供給路１４部分に位置し、緩衝包装袋１全体に横に跨設される方式で設置されている。耐熱部３３が設置される目的は、逆止弁上部シート２５と逆止弁下部シート２６とが熱シール部の製造過程において一緒に加熱接着されるのを防ぐことであり、耐熱部３３によって、気体進入口４５は加熱接着されずに確実に気体の充填が行われる。逆止弁上部シート２５および逆止弁下部シート２６の厚さはそれぞれ３０μｍ〜３５μｍであり、全体を組立てた後の逆止弁の厚さは６０μｍ〜７０μｍである。
【００２０】
図１に示すように、逆止弁上部シート２５と逆止弁下部シート２６とから構成される逆止弁が設置される場所には網状接合点３４が設置されており、その形状は、円形またはその他の形状である。網状接合点３４は、上部シート２１、逆止弁上部シート２５および逆止弁下部シート２６の三層を加熱接着したものであり、その長所は後で述べる。
【００２１】
これらのシート周辺はそれぞれ銅型による加熱接着によって熱シール部３５が形成されており、緩衝包装袋１を密封しており、気体室１０内の気体が外部に漏れることはない。さらに、隣合う気体室１０間も熱シール部３１によって、複数の気体室１０が形成されている。これらの気体室１０は包装したい被包装物に合わせて大きさを変えることができる。各気体室１０の適当な位置には折目４０が設けられ、気体室１０に気体を充填するとき、折り曲げるのに使用され、緩衝包装袋１を袋体形状にすることができる。
【００２２】
図６、７に示すように、気体を緩衝包装袋１の気体供給口２から充填するとき、気体は気体供給路１４から各気体室１０内に進入する。気体注入が完了したとき、緩衝包装袋１の各気体室１０内部の高圧気体が逆止弁上部シート２５および逆止弁下部シート２６を上部シート２１の一側に押圧し、逆止弁上部シート２５および逆止弁下部シート２６を上部シート２１に緊密に貼合して気体を密封し、気体が気体室１０内から外部に漏れるのを防ぐ。
【００２３】
図５に示すように、気体が各気体室１０に進入するとき、複数の網状接合点３４は気体通路を形成し、気体は網状接合点３４部分を通過した後、逆止弁に進入して充填される。実際、これらの網状接合点３４には逆止弁としての効果を持ち、各気体室１０の密封効果を高めている。
【００２４】
図８に示すように、緩衝包装袋１の気体充填が完了したとき、各気体室１０は充満する気体によって膨張し、各気体室１０によって内部空間が形成され、被包装物は気体室１０の保護を受けて運送中に受ける振動または衝撃による破損を防止できる。さらに、各気体室１０の気体供給路１４は膨張状態でなく、シート状を呈しているので、被包装物を開口部５０から緩衝包装袋１内部の空間に収容でき、ちょうど封止蓋として開口部５０を遮蔽できる。
【００２５】
実際、気体供給路１４は必ず緩衝包装袋１の頚部に設置しなければならないことはなく、緩衝包装袋１の上端に設置して封筒形状にすることもできる。図９に示すように、熱シール部３１の位置を変更し、気体室１０を柱状からひし形に変えることもでき、気体室１０の形状はこれに限らず、円形、方形、多辺形またはその他の類似形状にできる。
【００２６】
本実施形態の実施によって、緩衝包装袋１の幾つかの気体室１０が破裂しても、破裂していない気体室１０は逆止弁の密封作用によって密封状態が保たれ、緩衝包装袋１は被包装物に対して緩衝保護を行うことができる。緩衝包装袋１は複数の独立する気体室によって気体充填後、被包装物に対して緩衝保護を行うことができる。逆止弁としての機能を備える網状接合点３４の設置によって、それぞれの気体室１０全てに気体の入出路を形成する必要がなくなり、大幅に製造速度を高めることができただけでなく、製品率を有効的に高めることができ、今までにない優れた構造である。
【００２７】
上述の説明は、好適な実施形態を示したものであり、本考案の技術主旨に基づく当該技術に熟知するものによって容易になされる部分的な変更または修飾は全て本考案の権利に含まれる。
【図面の簡単な説明】
【００２８】
【図１】本考案の一実施形態による緩衝包装袋の気体未充填時の状態を示す平面図である。
【図２】図１の緩衝包装袋を示す断面図である。
【図３】本考案の一実施形態による緩衝包装袋の逆止弁を示す模式図である。
【図４】図３の線Ａ―Ａの断面図である。
【図５】本考案の一実施形態による緩衝包装袋の気体充填時の状態を示す平面図である。
【図６】気体充填時の一気体室の状態を示す断面図である。
【図７】気体充填完了時の一気体室の状態を示す断面図である。
【図８】本考案の一実施形態による緩衝包装袋の気体充填完了時の状態を示す斜視図である。
【図９】本考案の第２実施形態による緩衝包装袋の気体未充填時の状態を示す平面図である。
【符号の説明】
【００２９】
１    緩衝包装袋
１０  気体室
１４  気体供給路
２    気体供給口
２１  上部シート
２２  下部シート
２５  逆止弁上部シート
２６  逆止弁下部シート
３１  熱シール部
３３  耐熱部
３４  網状接合点
３５  接合部
４０  折目
４５  気体進入口
５０  開口部
【図１】
0003112371.tif 000003
【図２】
0003112371.tif 000004
【図３】
0003112371.tif 000005
【図４】
0003112371.tif 000006
【図５】
0003112371.tif 000007
【図６】
0003112371.tif 000008
【図７】
0003112371.tif 000009
【図８】
0003112371.tif 000010
【図９】
0003112371.tif 000011